(57)【要約】【課題】簡単な構成で、効率の高い冷房を行うことができるペットハウスを提供する。【解決手段】ペットハウスの床部１１を、下方から順に、ベース部材２１と、金属板２２と、複数の表面パネル２３ａからなる床面２３の３層構造とする。ベース部材２１の土手部２１ｂの内側の上面２１ｃに多数の流路２１ａを設け、金属板２２に多数の透孔２２ａを穿設する。この透孔２２ａは、各表面パネル２３ａのほぼ中央に対応する位置に穿設する。支柱１２ｄに冷水を貯留する貯水部２４を設け、流路２１ａに冷水を流す。冷水は、金属板２２の透孔２２ａを介して表面パネル２３ａに吸水され、気化する際に気化熱を奪って表面パネル２３ａを冷やす。【選択図】図２
0003127810.tif 000002
【実用新案登録請求の範囲】
【請求項１】
床面を冷房するための冷房機構を備えたペットハウスにおいて、
冷房用水を貯留する貯水部と、
板状に形成されるとともに、前記貯水部からの冷房用水を前記床面に導く流路が上面に形成されたベース部材と、
前記ベース部材の上面を覆うように配設されて、前記流路に蓋をする良熱伝導性の金属板と、
前記金属板の上面における前記流路に対応する位置に配置されて、前記床面の一部又は全部を構成する吸水性の表面パネルと、を備え、
前記金属板の一部に透孔を形成して、前記流路内の冷房用水が前記表面パネルの裏面に直接、接触するようにした、
ことを特徴とするペットハウス。
【請求項２】
前記床面の一部又は全部を、複数枚の前記表面パネルによって構成する、
ことを特徴とする請求項１に記載のペットハウス。
【請求項３】
前記透孔が前記表面パネルにおける中央部近傍に対応する位置に穿設されている、
ことを特徴とする請求項２に記載のペットハウス。
【請求項４】
複数枚の前記表面パネルを敷き詰めて、前記床面の一部又は全部を構成するとともに、隣接する前記表面パネルを樹脂モルタルによって接続する、
ことを特徴とする請求項３に記載のペットハウス。
【請求項５】
前記金属板の前記透孔の周縁部と、前記表面パネルの裏面との間に防水加工する、
ことを特徴とする請求項１ないし４のいずれか１項に記載のペットハウス。
【請求項６】
前記流路内の冷房用水を循環させるためのポンプを設けた、
ことを特徴とする請求項１ないし５のいずれか１項に記載のペットハウス。
【請求項７】
前記表面パネルがセラミックタイル又は天然石である、
ことを特徴とする請求項１ないし６のいずれか１項に記載のペットハウス。
【考案の詳細な説明】
【技術分野】
【０００１】
本考案は、冷房用水を使用して床面を冷やすペットハウスに関する。
【背景技術】
【０００２】
構成が簡単なペット用冷却板が知られている（例えば、特許文献１参照）。
【０００３】
このものは、ペットが寝転がる床面（冷却面）を形成する熱伝導板を、水を含ませることができる素焼きのタイルによって構成している。そして、含ませた水の気化熱を利用して、熱伝導板の温度を低下させるようにしている。このペット用冷却板によると、ペルチェ素子や送風ファン等の電動機器部品を不要として重量化を招くことなく、ペットにとって快適な冷却状態を持続するようにしている。
【特許文献１】登録実用新案第３１１５１８８号
【考案の開示】
【考案が解決しようとする課題】
【０００４】
しかしながら、上述の特許文献１によると、熱伝導板に水を含ませるための構造を有していないため、水を含ませる作業は、人手によって行われるものと推察される。このような作業は煩雑で、また、水が涸れた状態で長時間放置されるおそれもある。
【０００５】
そこで、本考案は、簡単な構成でありながら、人手によらず表面パネル（上述の熱伝導板に相当）に水を含ませることができるとともに、効率よく表面パネルを冷やすことができるペットハウスを提供することを目的とするものである。
【課題を解決するための手段】
【０００６】
請求項１の考案は、床面を冷房するための冷房機構を備えたペットハウスに関する。この考案に係るペットハウスは、冷房用水を貯留する貯水部と、板状に形成されるとともに、前記貯水部からの冷房用水を前記床面に導く流路が上面に形成されたベース部材と、前記ベース部材の上面を覆うように配設されて、前記流路に蓋をする良熱伝導性の金属板と、前記金属板の上面における前記流路に対応する位置に配置されて、前記床面の一部又は全部を構成する吸水性の表面パネルと、を備え、前記金属板の一部に透孔を形成して、前記流路内の冷房用水が前記表面パネルの裏面に直接、接触するようにした、ことを特徴としている。
【０００７】
請求項２に係る考案は、請求項１に係るペットハウスにおいて、前記床面の一部又は全部を、複数枚の前記表面パネルによって構成する、ことを特徴としている。
【０００８】
請求項３に係る考案は、請求項２に係るペットハウスにおいて、前記透孔が前記表面パネルにおける中央部近傍に対応する位置に穿設されている、ことを特徴としている。
【０００９】
請求項４に係る考案は、請求項３に係るペットハウスにおいて、複数枚の前記表面パネルを敷き詰めて、前記床面の一部又は全部を構成するとともに、隣接する前記表面パネルを樹脂モルタルによって接続する、ことを特徴としている。
【００１０】
請求項５に係る考案は、請求項１ないし４のいずれか１項に係るペットハウスにおいて、前記金属板の前記透孔の周縁部と、前記表面パネルの裏面との間に防水加工する、ことを特徴としている。
【００１１】
請求項６に係る考案は、請求項１ないし５のいずれか１項に係るペットハウスにおいて、前記流路内の冷房用水を循環させるためのポンプを設けた、ことを特徴としている。
【００１２】
請求項７に係る考案は、請求項１ないし６のいずれか１項に係るペットハウスにおいて、前記表面パネルがセラミックタイル又は天然石である、ことを特徴としている。
【考案の効果】
【００１３】
請求項１の考案によると、金属板は、上面に流路が形成されたベース部材の上面を覆うように、流路の蓋をするので、流路の防水性を確保することができる。また、金属板は、熱伝導性が高いので、流路中の冷房用水によって全体が容易に冷やされる。さらに、金属板には透孔が形成されていて、流路中の冷房用水と表面パネルとが直接、接触するので、表面パネルは吸水し、冷房時には、吸水した冷水が気化する際に熱が奪われることに伴って冷却される。すなわち、請求項１の考案によると、簡単な構成で、防水と効率のよい冷房とを実現することができる。
【００１４】
請求項２の考案によると、複数枚の表面パネルによって床面の一部又は全部が構成されているので、床面における表面パネルが配設されている部分を効率よく冷房することができる。
【００１５】
請求項３の考案によると、透孔が表面パネルにおける中央部近傍に対応する位置に穿設されているので、透孔を介して表面パネルに吸水された冷房用水は、表面パネルの全体に円滑に広がる。また、吸水による表面パネルの伸縮を抑制することができるので、伸縮に起因する表面パネルのひびや割れを防止することができる。
【００１６】
請求項４の考案によると、複数枚の表面パネルを敷き詰めて、床面の一部又は全部を構成するとともに、隣接する表面パネルを樹脂モルタルによって接続しているが、各表面パネルに対応して、金属板に透孔が設けてあり、この透孔が表面パネルの中央近傍に対応しているので、温度変化に起因する各表面パネルの伸縮を必要最小限に抑制することが可能であり、伸縮に起因する表面パネルの割れや、セメントの亀裂を抑制することができる。
【００１７】
請求項５の考案によると、流路と表面パネルとは、金属板の透孔を介してのみ連通されているので、金属板の透孔の周縁部と、表面パネルの裏面との間に容易に防水加工することができる。
【００１８】
請求項６の考案によると、流路内の水をポンプによって円滑に循環させることができるので、冷房の効率を高めることができる。
【００１９】
請求項７の考案によると、表面パネルがセラミックタイル又は天然石によって形成されているので、美粧性が高く、高級感のあるペットハウスを構成することができる。
【考案を実施するための最良の形態】
【００２０】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２１】
図１〜図３を参照して、本考案に係るペットハウス１０について説明する。このうち図１は、ペットハウス１０を正面右斜め上方から見た斜視図である。ただし、正面の前柵は、取り外した状態を示している。また、図２は、ベース部材２１、金属板２２、表面パネル２３、貯水部２４等の構成を模式的に示す縦断面図である。また、図３は、ペットハウス１０を上方から見た図である。ただし、上枠１３を取り外した状態を示している。
【００２２】
これらの図に示すように、ペットハウス１０は、全体としてはほぼ直方体状に形成されていて、長方形状の厚板状の床部１１と、この床部の４隅に立設された計４本の支柱１２ａ，１２ｂ，１２ｃ，１２ｄと、これら支柱１２ａ〜１２ｄの上端に固定された額縁状の上枠１３とを備えている。
【００２３】
床部１１は、長方形状の板状に形成されたベース部材２１と、薄板上の金属板２２と、床面２３との３層構造を有している。ベース部材２１は、４つの周縁部に沿って形成された土手部２１ｂと、この土手部２１ｂの内側におけるベース部材２１の上面２１ｃに形成された流路２１ａとを有している。また、金属板２２は、土手部２１ｂの内側において、ベース部材２１の上面２１ｃを覆うように配設されており、さらに床面２３は、金属板２２の上面を覆うように配設されている。本実施の形態では、床面２３は、その全体を、複数の表面パネル２３ａを貼り合わせて構成している。なお、床部１１については、後にさらに詳述する。
【００２４】
４本の支柱１２ａ〜１２ｄは、四角柱状に形成されていて、上述のベース部材２１における土手部２１ｂの４隅に立設されている。図１に示すように、４本の支柱１２ａ〜１２ｄのうち、右側でかつ後側に配設された支柱１２ｄは、その内側に後述する貯水部２４を設けるために、他の３本の支柱１２ａ〜１２ｃよりも太く形成されている。この支柱１２ｄは、図２では左側に図示されている。各支柱１２ａ〜１２ｄには、それぞれ隣接する支柱に対面する２つの面に上下方向にスリットＳが形成されている。そして、隣接する２本の支柱の間には、これらスリットＳを利用して、上枠１３を取り外した状態で、上方から前柵１５ａ，左柵１５ｂ，右柵１５ｃ、後壁面１４がはめ込まれている。すなわち、ペットハウス１０の前面に相当する支柱１２ａ，１２ｂ間には前柵１５ａが、また、左側面に相当する支柱１２ａ，１２ｃ間には左柵１５ｂが、また、右側面に相当する支柱１２ｂ，１２ｄ間には右柵１５ｃが、そして、後面に相当する支柱１２ｃ，１２ｄ間には後壁面１４が着脱可能に取り付けられる。ただし、図１では、前柵１５ａは省略してある。本実施の形態では、前柵１５ａ，左柵１５ｂ，右柵１５ｃは、格子状に形成されているのに対し、後壁面は、図３に示すように、複数の表面パネルをセメントで連結して、全体として薄板状に構成されている。各支柱１２ａ〜１２ｄの上面には、凸部１２ｅが形成されている。この凸部１２ｅを、上枠１３の裏面の４隅に形成されている凹部（不図示）に嵌合することで、上枠１３を支柱１２ａ〜１２ｄに取り付けることができる。
【００２５】
図２，図３に示すように、支柱１２ｄの内側には、貯水部２４が形成されている。この貯水部２４には冷水（冷却用水）が貯められる。貯水部２４には、直接、氷を入れたり、中の水を凍らせたペットボトルＰを入れたりして、中の冷水をさらに冷やすようにするとよい。
【００２６】
次に図４（ａ）〜（ｄ）等を参照して、床部１１について詳述する。このうち図４（ａ）はベース部材２１と金属板２２と床面２３との３層構造を説明する図である。（ｂ）はベース部材２１を上方から見た図であり、（ｃ）は金属板２２を上から見た図であり、（ｄ）は床面２３を上方から見た図である。ただし、これらの図においては、流路２１ａは簡略化し、金属板２２の透孔２２ａや床面２３の表面パネル２３ａの数は、減らして図示している。床部１１は、上述のように、ベース部材２１と、金属板２２と、床面２３との３層構造となっている。ベース部材２１は、土手部２１ｂの内側における上面２１ｃに、冷水が流れる多数の流路２１ａが形成されている。流路２１ａの１つの端部２１ｄは、図２に示すように、土手部２１ｂにおいて立ち上がって上述の給水管２５に連結され、また、他方の端部２１ｅは、同じく土手部２１ｂにおいて立ち上がって上述の排水管２６に連結されている。さらに、流路２１ａにおけるこれら端部２１ｄ，２１ｅから遠い部分には、図２，図３に示すようにドレン（水抜き）２１ｆが形成されていて、このドレン２１ｆには、ペットハウス１０の使用時には、栓２１ｇが取り付けられていて、この栓２１ｇは、流路２１ａ内や貯水部２４内の冷水を抜くときには外される。
【００２７】
金属板２２は、上述のベース部材２１における土手部２１ｂを除いた上面２１ｃ全体に密着するように取り付けられている。例えば、接着されて、流路２１ａから冷水が漏れないようにしている。金属板２２には、流路２１ａに対応し、かつ表面パネル２３ａに対応する位置に、流路２１ａの幅よりも直径が大きい透孔２２ａが形成されている。本実施の形態では、これら透孔２２ａは、各表面パネル２３ａのほぼ中央に対応する位置に配置されている。
【００２８】
床面２３全体は、本実施の形態では、吸水性のあるダイヤ形の複数の表面パネル２３ａを敷き詰めることで金属板２２の上面を覆っている。ただし、床面２３の各辺に位置する表面パネルは、半分の大きさのものが配置されている。表面パネル２３ａは、隣接するもの相互が樹脂モルタル２３ｂ（例えば、防水セメント）や防水モルタルによって接続されている。上述の金属板２２の透孔２２ａは、表面パネル２３ａのほぼ中央に位置するように配置されている。そして、金属板２２の透孔２２ａの周縁部と表面パネル２３ａの裏面との間にはコーキング剤が塗布されて防水が図られている。各表面パネル２３ａは、この透孔２２ａを介して、流路２１ａ内の冷水又に直接、接触するようになっており、透孔２２ａ以外の部分においては、金属板２２が接触するようになっている。これにより、表面パネル２３ａは、冷水を吸水する部分が、ほぼ中央部分に限定されるため、吸水によって伸縮した場合であっても、その影響を最小限にとどめて、隣接する表面パネル２３ａや、隣接する表面パネル２３ａとの接続部である樹脂モルタル２３ｂにまで影響が及ばないようになっているので、伸縮によるひびや割れを防止することができる。
【００２９】
ここで、図５，図６に示すような装置を構成して、表面パネルの温度をサーモテープで測定した。図５の装置の場合を実験結果１、図６の装置の場合を実験結果２として以下に示す。
〔実験結果１〕
ＡＭ  ９：００  室内温度３０度。水を入れない状態で石の表面温度は３０度。
ＡＭ  ９：０５  貯水槽に水道水を入れる。
ＡＭ１０：００    石の表面温度……３０度
ＡＭ１１：００    石の表面温度……２８度
ＡＭ１２：００    石の表面温度……２８度
ＰＭ  １：００  凍らせたペットボトルを貯水槽に入れる。
ＰＭ  ２：００    石の表面温度……２８度
ＰＭ  ３：００    石の表面温度……２６度
ＰＭ  ３：０５  ペットボトルの水がほぼ溶けたので入れ替える。
ＰＭ  ４：００    石の表面温度……２６度
ＰＭ  ５：００    石の表面温度……２４度
ＰＭ  ６：００    石の表面温度……２４度
〔実験結果２〕
ＡＭ  ９：００  室内温度３０度。水を入れない状態で石の表面温度は３０度。
ＡＭ  ９：０５  貯水槽に水道水を入れる。
ＡＭ１０：００    石の表面温度……３０度
ＡＭ１１：００    石の表面温度……２８度
ＡＭ１２：００    石の表面温度……２８度
ＰＭ  １：００  凍らせたペットボトルを貯水槽に入れる。
ＰＭ  ２：００    石の表面温度……２８度
ＰＭ  ３：００    石の表面温度……２６度
ＰＭ  ３：０５  ペットボトルの水がほぼ溶けたので入れ替える。
ＰＭ  ４：００    石の表面温度……２６度
ＰＭ  ５：００    石の表面温度……２６度
ＰＭ  ６：００    石の表面温度……２４度
【００３０】
上述構成のペットハウスによると、金属板２２は、流路２１ａが形成されたベース部材２１の上面２１ｃを覆うように、流路２１ａの蓋をするので、流路２１ａの防水性を確保することができる。また、金属板２２は、熱伝導性が高いので、流路２１ａ中の冷水によって全体が容易に冷やされ、さらにこの金属板２２に接触している表面パネル２３ａも冷やされることになる。さらに、金属板２２には透孔２２ａが形成されていて、流路２１ａ中の冷水と表面パネル２３ａとが直接、接触するので、表面パネルは吸水し、吸水した冷水が気化する際に熱が奪われることに伴って冷却される。このように本実施の形態によると、簡単な構成で、防水と効率のよい冷房とを実現することができる。
【００３１】
本実施の形態では、表面パネル２３ａとして、セラミックタイル又は天然石を使用した。これにより、美粧性が高く、かつ高級感のあるペットハウスを構成することができる。ただし、表面パネル２３ａの素材としてはこれらに限定されるものではなく、適度な吸水性を有し、かつ金属板２２よりも熱伝導率が低いものであれば、他の任意のものを使用することができる。なお、天然席としては、火成岩（花こう岩類、安山岩類）、水成岩（砂岩類、凝灰岩類）、変成岩（大理石、蛇紋岩）などがある。
【００３２】
以上の説明では、床面２３全体が、ダイヤ形の表面パネル２３ａを敷き詰めて構成した例を説明したが、これに限定されず、表面パネル２３ａは、正方形、長方形、正六角形等の形状とすることもできる。また、床面２３全体を１枚の表面パネル２３ａで構成することも可能である。
【００３３】
また、上述では、床面２３全体に表面パネル２３ａを敷き詰める構成を説明したが、これに代えて、床面２３の一部、例えば、ペットが寝転がりやすい中央部近傍や、右半分又は左半分を表面パネル２３ａで構成し、他の部分を別の部材（例えば、木材やカーペット）で構成するようにしてもよい。
【００３４】
また、冷房時には、上述の貯水部に、例えば、中の水を凍らせたペットボトルＰを入れたり、直接、氷を入れたりすれば、さらに、表面パネル２３ａの冷却効果を高めることができる。
【００３５】
また、ポンプ（不図示）を設けて、流路２１ａ中の冷水を積極的に循環させるようにしてもよい。この場合には、さらに効率のよい冷房を行うことが可能となる。
【００３６】
また、上述の後側面１４を、上述の床部１１を同様に構成して、後側面を冷却するようにしてもよい。
【図面の簡単な説明】
【００３７】
【図１】ペットハウスを正面右斜め上方から見た斜視図である。
【図２】ベース部材、金属板、表面パネル、貯水部等の構成を模式的に示す縦断面図である。
【図３】上枠を取り外した状態のペットハウスを上方から見た図である。
【図４】（ａ）はベース部材と金属板と床面との３層構造を説明する図である。（ｂ）はベース部材を上方から見た図であり、（ｃ）は金属板を上から見た図であり、（ｄ）は床面を上方から見た図である。
【図５】実験を示す図
【図６】他の実験を示す図
【符号の説明】
【００３８】
１０        ペットハウス
２１        ベース部材
２１ａ      流路
２１ｃ      上面
２２        金属板
２２ａ      透孔
２３        床面
２３ａ      表面パネル
２４        貯水部
２５ａ      給水口
２６ａ      排水口
【図１】
0003127810.tif 000003
【図２】
0003127810.tif 000004
【図３】
0003127810.tif 000005
【図４】
0003127810.tif 000006
【図５】
0003127810.tif 000007
【図６】
0003127810.tif 000008